(57)【要約】【課題】エレベータ内部にて建物周辺や内部の施設等広告やアクセス手段の時刻表など自由な情報を静止画や動画で配信し、ディスプレイに表示するシステムを提供する。【解決手段】エレベータかごに設置されたエレベータ搭載装置であって、制御装置と、電子ディスプレイ、情報保存装置及び運転状態検出手段とを備えかつ運転状態検出手段はエレベータかごの現在位置する階及び利用者により選択された階を検出し、制御装置は、電子ディスプレイに表示する複数の表示コンテンツの各々の映像データと、各表示コンテンツを表示する表示対象階とを対応付けて情報保存装置に保存する手段と、エレベータかごの進行方向が上りか下りかを判定する手段と、上り／下りの場合はエレベータかごの現在位置する階より上／下の階である表示対象階が指定されている表示コンテンツを表示コンテンツの候補として抽出する手段と、を有する。【選択図】図２
2013184788.tif 000002
【特許請求の範囲】
【請求項１】
エレベータかごに設置されたエレベータ搭載装置であって、制御装置と、前記制御装置により制御される電子ディスプレイ、情報保存装置及び運転状態検出手段とを少なくとも備えかつ前記運転状態検出手段はエレベータかごの現在位置する階及び利用者により選択された階を少なくとも検出する、前記エレベータ搭載装置において、
前記制御装置は、
前記電子ディスプレイに表示するための複数の表示コンテンツの各々の映像データと、各表示コンテンツを表示する階を指定した表示対象階の情報を少なくとも含む表示条件とを対応付けて前記情報保存装置に保存する手段と、
前記運転状態検出手段により取得した、エレベータかごの現在位置する階及び利用者により選択された階に基づいて、エレベータかごの進行方向が上りか下りかを判定する手段と、
エレベータかごの進行方向が上りと判定された場合は、前記情報保存装置を参照することにより、エレベータかごの現在位置する階より上の階である表示対象階が指定されている表示コンテンツを、前記電子ディスプレイに表示する表示コンテンツの候補として抽出する手段と、
エレベータかごの進行方向が下りと判定された場合は、前記情報保存装置を参照することにより、エレベータかごの現在位置する階より下の階である表示対象階が指定されている表示コンテンツを、前記電子ディスプレイに表示する表示コンテンツの候補として抽出する手段と、を有することを特徴とする
エレベータ搭載装置。
【請求項２】
前記制御装置により制御されかつ現在時刻を認知する時刻認知手段をさらに備え、
前記制御装置は、前記表示コンテンツの候補の中からさらに他の前記表示条件に基づいて表示コンテンツを絞り込む手段として、
前記電子ディスプレイに表示する表示コンテンツの映像データと、前記表示コンテンツを表示する表示時間帯を指定した情報とを対応付けて前記情報保存装置に保存する手段と、
前記時刻認知手段から取得した現在時刻に基づいて、前記情報保存装置を参照することにより、抽出された前記表示コンテンツの候補に対応する前記表示時間帯の範囲内に現在時刻が含まれるか否かを判定する手段と、
現在時刻が前記表示時間帯の範囲内に含まれる表示コンテンツを、前記電子ディスプレイに表示する表示コンテンツの候補としてさらに絞り込む手段と、を有することを特徴とする
請求項１に記載のエレベータ搭載装置。
【請求項３】
請求項１又は２に記載のエレベータ搭載装置と、通信手段を介して前記エレベータ搭載装置と接続可能な情報提供装置と、を備えた情報提供システムであって、
前記情報提供装置は、前記電子ディスプレイに表示するための複数の表示コンテンツの各々の映像データと、各表示コンテンツを表示する表示条件を含む関連情報とを含む前記表示コンテンツの保持データを配信情報記憶装置に記憶する手段と、
前記表示コンテンツの保持データを前記エレベータ搭載装置へ配信する手段と、を備えたことを特徴とする
情報提供システム。
【請求項４】
前記表示コンテンツの保持データとして、前記電子ディスプレイに表示コンテンツが表示された回数の情報が含まれ、
前記情報提供装置は、前記電子ディスプレイに表示コンテンツが表示された回数の情報を前記エレベータ搭載装置から受信し、前記表示コンテンツの保持データを更新する手段を備えたことを特徴とする請求項３に記載の情報提供システム。
【発明の詳細な説明】
【技術分野】
【０００１】
本発明は、エレベータ内に設置された電子ディスプレイを具備するエレベータ搭載装置と、エレベータが設置された建物や利用客に特化した広告等を電子ディスプレイに表示する情報提供システムに関するものである。
【背景技術】
【０００２】
旧来より広告は、常日頃から人々の目に触れるところに設置されている。デパートや駅など建物の壁面やバスや電車といった移動手段に設置される吊り広告や車外広告として主に紙媒体で提供されている。特にデパートなどでは、建物外の壁面や建物内の壁や柱だけでなく建物内の移動手段であるエレベータ内部など随所に広告を見る機会がある。
【０００３】
エレベータは、一般客が買い物や食事などで訪れるデパートだけでなく、単一または複数の企業が合同で事業場として利用しているビルや工場、居住区として使用するマンションなど非常に多くの多階層の建築物に設置されている。そのためエレベータに掲示される広告は主にその建物内部や建物がある場所の近隣の情報をターゲットとしたものが多い。
【０００４】
一方、近年、広告媒体としてデジタルサイネージが普及しつつある。デジタルサイネージ（電子看板）とは、表示内容をデジタル配信して電子ディスプレイに表示する技術やそれに用いられる広告媒体を意味する。紙媒体と異なり表示する内容が可変であり、静止映像だけではなく動画も使用できるため、非常に幅広い広告情報を提供することができる。
【０００５】
実用例として、ＪＲ横浜駅南口におけるデジタルサイネージを挙げる。ＪＲ横浜駅の南口改札では角柱状や円柱状の柱に、柱の形状に合わせた電子ディスプレイを埋め込み、そこに様々な広告が表示されている。
【０００６】
図８は、一般的なデジタルサイネージの配信システムの概要を示す構成図である。利用客に提供する表示内容であるコンテンツや、コンテンツの表示スケジュールを決定するクライアントマシン８１、コンテンツや表示スケジュールのデータ転送時に経由するインターネット８２、コンテンツや表示スケジュールを受信、送信する配信サーバ８３、コンテンツや表示スケジュールを保存する配信サーバ記憶装置８４、及びコンテンツを表示スケジュールに従って表示するディスプレイ８５から構成されている。
【０００７】
このようなデジタルサイネージではまずクライアントマシン８１でディスプレイ８５に表示するコンテンツや表示スケジュールを決定する。その後、インターネット８２を経由して配信サーバ８３にコンテンツや表示するコンテンツや表示スケジュールを送信する。
配信サーバ８３で受信したコンテンツや表示スケジュールは、配信サーバ８３内部の記憶装置である配信サーバ記憶装置８４に保存される。
配信サーバ８３は配信サーバ記憶装置８４に保存されたコンテンツを表示スケジュールに従って、インターネット８２を経由して電子ディスプレイ８５に表示する。
【０００８】
なお、エレベータ内部にて利用客に情報を伝達する先行技術の例として特許文献１がある。
【先行技術文献】
【特許文献】
【０００９】
【特許文献１】特開平０５−２２９７５８号公報
【発明の概要】
【発明が解決しようとする課題】
【００１０】
しかしながら、特許文献１に記載されたエレベータ用情報表示装置において表示される内容は、広告ではなく、エレベータ内にディスプレイを設置して建物の最寄りのアクセス手段（電車等）の発着時刻を表示してアクセス性を向上させるためのシステムである。
【００１１】
特許文献１で表示される情報も、デジタルサイネージの特徴でもある「地域向けの情報」を掲示する点は同様だが、ここで表示される情報はアクセス手段の発着時刻の表示のみで建物内の案内や建物周辺の情報は表示することができない。また表示媒体もＬＥＤ点灯式の表示であるため、文字情報でしかエレベータ利用客に情報を伝達することができない。さらに、エレベータ独自の動作（利用者の有無、昇降状態、行き先階の選択状況等）と関連した情報表示は、行っていない。
【００１２】
本発明の目的は、エレベータ内部の電子ディスプレイにて静止画や動画の映像データを効果的かつ効率的に表示するエレベータ搭載装置及びこれを組み合わせた情報提供システムを提供することにある。
【課題を解決するための手段】
【００１３】
上記目的を達成するために、本発明は、以下の構成を提供する。
本発明によるエレベータ搭載装置は、エレベータかごに設置されたエレベータ搭載装置であって、制御装置と、前記制御装置により制御される電子ディスプレイ、情報保存装置及び運転状態検出手段とを少なくとも備えかつ前記運転状態検出手段はエレベータかごの現在位置する階及び利用者により選択された階を少なくとも検出する、前記エレベータ搭載装置において、前記制御装置は、前記電子ディスプレイに表示するための複数の表示コンテンツの各々の映像データと、各表示コンテンツを表示する階を指定した表示対象階の情報を少なくとも含む表示条件とを対応付けて前記情報保存装置に保存する手段と、前記運転状態検出手段により取得した、エレベータかごの現在位置する階及び利用者により選択された階に基づいて、エレベータかごの進行方向が上りか下りかを判定する手段と、エレベータかごの進行方向が上りと判定された場合は、前記情報保存装置を参照することにより、エレベータかごの現在位置する階より上の階である表示対象階が指定されている表示コンテンツを、前記電子ディスプレイに表示する表示コンテンツの候補として抽出する手段と、エレベータかごの進行方向が下りと判定された場合は、前記情報保存装置を参照することにより、エレベータかごの現在位置する階より下の階である表示対象階が指定されている表示コンテンツを、前記電子ディスプレイに表示する表示コンテンツの候補として抽出する手段と、を有することを特徴とする。
【００１４】
上記エレベータ搭載装置において、前記制御装置により制御されかつ現在時刻を認知する時刻認知手段をさらに備え、前記制御装置は、前記表示コンテンツの候補の中からさらに他の前記表示条件に基づいて表示コンテンツを絞り込む手段として、前記電子ディスプレイに表示する表示コンテンツの映像データと、前記表示コンテンツを表示する表示時間帯を指定した情報とを対応付けて前記情報保存装置に保存する手段と、前記時刻認知手段から取得した現在時刻に基づいて、前記情報保存装置を参照することにより、抽出された前記表示コンテンツの候補に対応する前記表示時間帯の範囲内に現在時刻が含まれるか否かを判定する手段と、現在時刻が前記表示時間帯の範囲内に含まれる表示コンテンツを、前記電子ディスプレイに表示する表示コンテンツの候補としてさらに絞り込む手段と、を有することが、好適である。
【００１５】
本発明による情報提供システムは、上記エレベータ搭載装置と、通信手段を介して前記エレベータ搭載装置と接続可能な情報提供装置と、を備えた情報提供システムであって、前記情報提供装置は、前記電子ディスプレイに表示するための複数の表示コンテンツの各々の映像データと、各表示コンテンツを表示する表示条件を含む関連情報とを含む前記表示コンテンツの保持データを配信情報記憶装置に記憶する手段と、前記表示コンテンツの保持データを前記エレベータ搭載装置へ配信する手段と、を備えたことを特徴とする。
【００１６】
上記情報提供システムにおいて、前記表示コンテンツの保持データとして、前記電子ディスプレイに表示コンテンツが表示された回数の情報が含まれ、前記情報提供装置は、前記電子ディスプレイに表示コンテンツが表示された回数の情報を前記エレベータ搭載装置から受信し、前記表示コンテンツの保持データを更新することが、好適である。
【発明の効果】
【００１７】
本発明のエレベータ搭載装置及び、これと情報提供装置とを組み合わせた情報提供システムによれば、建物内部や建物周辺の施設等の広告やアクセス手段の時刻表など自由な情報を効果的に表示することが可能となる。特に、エレベータに固有の動作、上り及び下りの進行方向に応じて効率的に表示することが可能となる。
【図面の簡単な説明】
【００１８】
【図１】図１は、本発明によるエレベータ搭載装置の一例を搭載したエレベータかごの内部を示す概略的に示した図である。
【図２】図２は、本発明による情報提供システムの一例を説明する構成図である。
【図３】図３は、エレベータ搭載装置及び情報提供装置において保存される、表示コンテンツ及び関連情報のデータの一実施例を示すデータ構成図である。
【図４】図４は、図２に示したエレベータ搭載装置の電子ディスプレイにおける表示と非表示の切替処理を表したフローチャートである。
【図５】図５は、図２に示したエレベータ搭載装置の電子ディスプレイにおける表示コンテンツの切替処理を表したフローチャートである。
【図６】図６は、図２に示したエレベータ搭載装置における表示コンテンツの選択処理を表したフローチャートである。
【図７】図７は、情報提供システムの運営の一例を表したシーケンス図である。
【図８】図８は、一般的なデジタルサイネージの配信システムの概要を示す構成図である。
【発明を実施するための形態】
【００１９】
以下、図面を参照しつつ本発明の実施形態を説明する。
図１は、本発明による情報提供システムの構成要素であるエレベータ搭載装置の一例を搭載したエレベータかごの内部を示す概略的に示した図である。エレベータかご１の内部には、一般的設備として、行き先階の選択やドア３の開閉を行うために利用者が操作する運転盤２と、利用者がエレベータかご１に搭乗する際に出入りするドア３とが設けられている。さらに、本発明におけるエレベータ搭載装置の構成要素の１つとして、利用客に情報を提供する電子ディスプレイ４が設けられている。エレベータ搭載装置の電子ディスプレイ４以外の構成要素は、後述する図２で説明するが、エレベータかご１の適宜箇所に取り付けるかまたは壁や天井等に内蔵する。
【００２０】
電子ディスプレイ４は薄型で、動画や静止画像を表示可能なものを用いる。例えば、液晶やプラズマ、有機ＥＬディスプレイなどが薄型に適している。電子ディスプレイ４は利用者にとって表示情報を見易い位置であれば、どこに設置してもよく、複数個設置してもよい。また、設置手段は、エレベータかご１内の壁面やドア３への埋め込み、または取り付けによるものとする。図１では例として、エレベータかご１のドア３に設置した場合や運転盤２の上部やドア３の上部に設置した場合を示している。
【００２１】
図２は、本発明による情報提供システムの一例を示す構成図である。情報提供システムは、エレベータかご（以下、単に「エレベータ」と称する場合がある）に設置されるエレベータ搭載装置２０１と、エレベータ外に設置される情報提供装置２０９とを少なくとも備えている。情報提供装置２０９は、エレベータ搭載装置２０１に対して、利用者に表示する広告等の表示コンテンツのデータ及び関連情報を含む保持データを配信する。また、エレベータ搭載装置２０１において表示コンテンツの保持データを編集（データ更新等）して情報提供装置２０９へ送信する場合もある。これらの配信及び送信のために、エレベータ搭載装置２０１の配信情報送受信手段２０２と、情報提供装置２０９の配信情報送受信手段２１１は、適宜の通信手段を介して接続可能である。通信手段としては無線ＬＡＮや光ファイバケーブルなど、高速通信可能であれば特定のものに限られない。但し、エレベータが移動するため、通信手段は、利用者や表示コンテンツに支障とならない形態のものが好ましい。例えば無線ＬＡＮを用いた無線通信の場合、光ファイバなどケーブルを用いた有線通信とは異なり、エレベータの運転を妨げる危険性は無い。なお、複数のエレベータを設置した建物もあるため、１つの情報提供装置２０９に対して複数のエレベータ搭載装置２０１が接続される場合がある。
【００２２】
エレベータ搭載装置２０１は、複数の構成要素から構成されている。上述した電子ディスプレイ２０８及び配信情報送受信手段２０２に加え、制御装置２０３、情報保存装置２０４、利用客検知手段２０５、運転状態検出手段２０６及び時刻認知手段２０７を少なくとも備えている。
【００２３】
制御装置２０３は、エレベータ搭載装置２０１に含まれる各構成要素と接続され、各構成要素から所定の情報を受信し、各構成要素の動作すなわちエレベータ搭載装置２０１の動作全体を制御する機能を有する。制御装置２０３の機能は、搭載されているＣＰＵがプログラムをメモリに読み込み実行することにより、実現される。制御装置２０３は、配信情報送受信手段２０２が受信した情報を情報保存装置２０４に保存する処理を行う。また、利用者検知手段２０５、運転状態検出手段２０６及び時刻認知手段２０７と連動して電子ディスプレイ２０８における表示コンテンツの表示と非表示を切り替える処理及び、表示するコンテンツの切り替える処理を行う。また、表示した表示コンテンツの保持データを更新し、更新した表示コンテンツの保持データを情報保存装置２０４に保存したり、情報提供装置２０９に送信したりする処理を行ってもよい。
【００２４】
情報保存装置２０４は、表示コンテンツの保持データ並びに制御装置２０３が実行するプログラム等を保存する記憶媒体を有する。記憶媒体としては、大量の表示コンテンツを保存でき、また高速で読み書きできるものが好ましい。例えば、ＨＤＤやＳＤＤであればＣＤ−ＲＡＭやＤＶＤ−ＲＡＭなどのディスク媒体よりも高速で動作し、エレベータの移動などによる媒体への負荷も少ないと考えられる。
【００２５】
利用者検知手段２０５は、エレベータ内に利用者がいるか否かを検出するための手段である。利用者検知手段２０５は、例えば重量センサや温度センサ等の人感センサの利用、または、ビデオカメラなどによる映像から判定するなど多様な手法ある。
【００２６】
運転状態検出手段２０６は、エレベータの機能全般を監視し、主としてエレベータにおけるドアの開閉状態、移動と停止、上りと下りの移動方向、現在位置する階、利用者が選択した階、などエレベータの運転状態を検出する。
【００２７】
時刻認知手段２０７は、現在の時刻を取得する。例えば、時刻認知手段２０７は、内蔵した電波時計から現在時刻を取得するか、または、配信情報送受信手段２０２を介して情報提供装置２０９が取得している現在時刻と同期をとる。
【００２８】
情報提供装置２０９は、表示コンテンツ管理者が編集した表示コンテンツの保持データをエレベータ搭載装置２０１に配信する。情報提供装置２０９は、上述した配信情報送受信手段２１１に加えて、表示コンテンツの保持データ並びに配信プログラム等を保存するための配信情報記憶装置２１０を備えている。情報提供装置２０９は、適宜のコンピュータであって、ＣＰＵが配信プログラムをメモリに読み込み実行することにより、本システムの各機能を実現する。配信情報記憶装置２１０は、通常、個々のエレベータ搭載装置２０１よりも表示コンテンツを大量に保持する必要があるため、大容量の記憶媒体を有することが好ましい。また表示コンテンツ管理者が編集した表示コンテンツの保持データは、直接、情報提供装置２０９の備える適宜の入力装置から入力し保存するか、または、適宜の外部通信手段を通して配信情報送受信手段２１１を介して保存する。配信情報送受信手段２１１は、少なくともエレベータ搭載装置２０１への表示コンテンツの保持データの送信（配信）を行うものである。配信情報送受信手段２１１はさらに、表示コンテンツ管理者が外部で編集した表示コンテンツの保持データの受信及びエレベータ搭載装置２０１において更新された表示コンテンツの保持データの受信を行うようにしてもよい。
【００２９】
図３は、図２のエレベータ搭載装置の情報保存装置２０４及び情報提供装置２０９の配信情報記憶装置２１０に保存される複数の表示コンテンツの各々についての保持データの一例を示すデータ構成図である。図示のものは、１つの表示コンテンツの保持データの一例である。表示コンテンツの保持データは、表示コンテンツ管理者が、表示コンテンツの映像データを通して利用者に情報を提供するクライアント（以下、クライアントとする）から当該映像データを受け取った後に情報提供装置２０９に登録（入力）するものである。表示コンテンツの保持データには、映像データである表示コンテンツデータとともに、当該表示コンテンツデータを特定するデータ及び当該表示コンテンツデータの表示条件を指定するデータ等の関連情報が含まれる。
【００３０】
図３のデータ構成は、表示コンテンツを提供したクライアントを識別する「クライアント情報」３１、表示コンテンツの映像データの種類を示す「映像データ種類」３２、表示コンテンツの１回の表示時間を示す「表示時間」３３、表示する期限を示す「表示期限」３４、表示の優先順位を指定する「優先度」３５、表示コンテンツを表示する階を設定する「表示対象階」３６、表示コンテンツを表示する時間帯を設定する「表示時間帯」３７、表示コンテンツを表示した回数を示す「表示回数」３８等の関連情報とともに、利用者に実際に提供する静止画等の映像データである「表示コンテンツデータ」３９で構成されている。
【００３１】
表示コンテンツ管理者が表示コンテンツの関連情報として登録する必要があるデータは、「クライアント情報」３１、「表示期限」３４、「優先度」３５、「表示対象階」３６、「表示時間帯」３７であり、さらにクライアントから提供された映像データが静止画である場合は「表示時間」３３も登録する。
【００３２】
図３の例では、「クライアント情報」３１には、表示コンテンツを提供したクライアントの名称として"○□商事"が登録されている。「映像データ種類」３２には、表示コンテンツ管理者ではなくクライアントから提供された映像データから自動的に"静止画"か"動画"かを判定していずれかが登録される。判定方法は任意であるが、拡張子から判別することが容易である。例えばPNGの場合は"静止画"、AVIの場合は"動画"と判定できる。
【００３３】
「表示時間」３３は、動画の場合は再生時間を取得して自動的に登録する。静止画の場合は表示コンテンツ管理者が直接登録する。登録された数値の時間だけ表示コンテンツが表示されることとなる。図３では例として"５秒"、"１７秒"としている。「表示期限」３４は、表示コンテンツの表示期限を登録する。登録内容としては"無期限"または西暦年/月/日 時/分(ＹＹＹＹ／ＭＭ／ＺＺ  ｈｈ：ｍｍ)を入力する。図３の例では、"２０１３／１２／２５  ００：００"としている。これは西暦２０１３年１２月２５日 0時0分になった場合この表示コンテンツは表示されなくなることを示している。
【００３４】
「優先度」３５は、表示コンテンツに優先順位をつけるために使用される。例えば「優先度」３５以外のすべての要素が同じ条件の動画が２つあり、「優先度」３５が"５"の動画と優先度"４"の動画の場合は「優先度」３５が高い前者が選択されるようになる。指定できる値としては"設定なし"または５段階の数値としている。「優先度」３５は例えば"１"が最も低く、"５"が最も高いものとする。
【００３５】
「表示対象階」３６は、その表示コンテンツを表示する階を指定する。登録内容としては"設定なし"または複数の表示階（ＦＦ階）を指定する。図３の例では、"１階"、"Ｂ１階"、"Ｒ階"と３つの階を選択している。
【００３６】
「表示時間帯」３７では表示する時間帯を設定する。登録内容としては"設定なし"または複数の時間帯（ｈｈ：ｍｍ 〜 ｈｈ：ｍｍ）を指定する。図３の例では"０９：００ 〜 １３：００"、"１８：００ 〜 ２０：３０"を設定している。これは９時から１３時または１８時から２０時３０分までの間に表示コンテンツを表示することを示している。例えば、昼食時間が１１：４５〜１２：３０の会社にて社内食堂の昼食メニューを電子ディスプレイで表示する場合は、表示時間帯を"０８：００〜１２：３０"とすると、出社時から実際の昼食時まではメニューを開示でき、昼食時間が過ぎた１２：３０以降は表示されなくなる。
【００３７】
「表示回数」３８は、その表示コンテンツを表示した回数がカウントされる。これは図２のエレベータ搭載装置２０１にて実際に表示した際に自動的に更新されていく値なので、表示コンテンツ管理者は編集しない。この値は、クライアントへの請求のためだけでなく、優先度との兼ね合いから表示コンテンツを選出する際にも用いられる。例えば「優先度」３５と「表示回数」３８以外が同じ条件の動画が２つあった場合、「優先度」３５が"５"で「表示回数」３８が"１０回"の表示コンテンツと、「優先度」３５が"１"で「表示回数」３８が"０回"の場合など表示回数の差異が極端に開かないようにするため、「表示回数」３８が少ない後者を表示されるようにする。表示される値は、数値(ＸＸＸ回)である。図３では"１回"、"８０回"の２つの例を示している。
【００３８】
表示コンテンツの関連情報として、「表示期限」３４、「優先度」３５、「表示対象階」３６、「表示時間帯」３７、「表示回数」３８を設定することにより、効果的に利用者に表示コンテンツを提供することができる。例えばデパートにある食料品売り場のタイムセールの広告を表示するとする。その場合、タイムセールは期間が限られているため「優先度」３５を最高の"５"に設定し、食料品売り場がある階を「表示対象階」３６に設定し、「表示時間帯」３７をタイムセール開始前の数時間前から終了時刻までに設定する。このように設定することで、優先的に広告が表示され、利用者としては数時間後に行われるタイムセールの情報をタイムリーに得ることができる。なお、その他の表示コンテンツとの「表示回数」３８を合わせる処理により、その他の表示コンテンツが全く表示されないような事態を回避することも可能である。また、「表示期限」３４にタイムセール終了時刻を設定することで、終了したタイムセールの広告は表示されないようになる。それにより、その他に登録されている表示コンテンツにとっても表示される確率が上がり、効率が良くなる。なお同じ内容のタイムセールが数日間行われる場合は「表示時間帯」３７を"設定なし"として、「表示期限」３４のみを設定することで最終日のタイムセールが終わるまでユーザにタイムセールがあることを通知することができる。同様に、タイムセールが終了した場合は表示されなくなるため他の表示コンテンツの表示確率を上げることができる。
【００３９】
図４は、図２に示したエレベータ搭載装置２０１の電子ディスプレイ２０８における表示と非表示の切替処理を表したフローチャートである。ここでは図２の制御装置２０３、利用者検知手段２０５、運転状態検出手段２０７及び電子ディスプレイ２０８を用いる。この処理はエレベータが稼働している間、制御装置２０３によって継続的に行われる。
【００４０】
まず、制御装置２０３は、エレベータが停止中か、ドアは現在開いているか、ドアが閉じる処理が行われたかを運転状態検出手段２０７に問い合わせて判定する（ステップ４０１、４０２、４０３）。次に、利用者がいるか否かを利用者検知手段２０５に問い合わせて判定する（ステップ４０４）。
【００４１】
利用者がいなければ電子ディスプレイ２０８を非表示とする（ステップ４０７）。これは消費電力を抑えるとともに、図３の表示コンテンツの「表示回数」３８を無駄に上昇させないためである。利用者がいる場合、制御装置２０３は、すでに電子ディスプレイ２０８に表示コンテンツは表示されているか否かを判定する（ステップ４０５）。表示されていなければ電子ディスプレイ２０８に所定の表示コンテンツを表示する（ステップ４０６）。この処理には、図５に示す表示コンテンツの切替処理を用いる。
【００４２】
図５は、図２に示したエレベータ搭載装置２０１の電子ディスプレイ２０８における表示コンテンツの切替処理を表したフローチャートである。ここでは制御装置２０３及び情報保存装置２０４を用いる。制御装置２０３は、図４に示した電子ディスプレイ表示の切替処理にてステップ４０６が呼び出されたとき（電子ディスプレイが表示されたとき）、または、電子ディスプレイが表示されている間、この処理を継続する。
【００４３】
まず、制御装置２０３は、既に表示コンテンツは表示されているか否かを判定する（ステップ５０１）。表示されていなければ、制御装置２０３は、表示コンテンツを表示するために選択処理を実行する（ステップ５０３）。表示されている場合、制御装置２０３は、設定されている表示時間となったか否かを判定する（ステップ５０２）。設定されている表示時間となった場合は表示を終了して次の表示コンテンツを表示するために表示コンテンツ選択処理を行う（ステップ５０３）。なお、ステップ５０３の表示コンテンツ選択処理には、図６に示す表示コンテンツの選択処理を用いる。
【００４４】
図６は、図２に示したエレベータ搭載装置２０１における表示コンテンツの選択処理を表したフローチャートである。ここでは配信情報送受信手段２０２、制御装置２０３、情報保存装置２０４、運転状態検出手段２０６、時刻認知手段２０７及び電子ディスプレイ２０８を用いる。制御装置２０３は、図５の表示コンテンツの切替処理にてステップ５０３が呼び出されたとき（新たな表示コンテンツを表示することとなったとき）にのみこの処理を行う。
【００４５】
まず、制御装置２０３は、運転状態検出手段２０６に問い合わせることにより、利用者に選択されている階及びエレベータかごの現在位置する階の情報を取得するとともに、エレベータの進む方向が上りか下りかを判定する（ステップ６０１、６０２、６０３）。ここでいう上り下りの判定は、移動中であるか停止中であるかに関わらず検出する。
【００４６】
エレベータの進む方向が上りと判定した場合は、制御装置２０３は情報保存装置２０４の保持データを参照することにより、「表示対象階」３６がエレベータかごの現在位置する階よりも上の階である表示コンテンツ群（ステップ６０４）と、「表示対象階」３６の指定がない表示コンテンツ群（ステップ６０５）を、表示すべき表示コンテンツの候補として抽出する。エレベータの進む方向が下りと判定した場合は、制御装置２０３は情報保存装置２０４の保持データを参照することにより、「表示対象階」３６がエレベータかごの現在位置する階よりも下の階である表示コンテンツ群（ステップ６０４）と、「表示対象階」３６の指定がない表示コンテンツ群（ステップ６０５）を、表示すべき表示コンテンツの候補として抽出する。
【００４７】
これらのステップ６０３、ステップ６０４、ステップ６０６で行われる処理は表示コンテンツ提供の効率を上げることができる。例えばステップ６０１で選択されている階が１階と５階、ステップ６０２で取得するエレベータかごの現在位置する階が３階とする。ステップ６０３で取得したエレベータの進む方向が上りの場合、「表示対象階」３６が１階の表示コンテンツを表示しても利用者にとっての情報の重要度は低く、１階のコンテンツが選ばれてしまうと「表示対象階」３６が５階の表示コンテンツが表示されなくなってしまう。一方、ステップ６０３で取得したエレベータの進む方向が下りの場合、「表示対象階」３６が５階の表示コンテンツが表示されてしまうと同じように効率が悪くなってしまう。
【００４８】
ステップ６０４及びステップ６０５の処理を行うことによって上り方向の場合は現在のエレベータかごよりも上の階、下り方向の場合は下の階を指定した表示コンテンツを表示することができる。なお、選択された階やエレベータの上り下りに関係なく表示したい表示コンテンツも同様に取得させる。
【００４９】
ちなみに、進む方向が上りでも下りでもない場合は、「表示対象階」３６の指定がない表示コンテンツ群（ステップ６０５）のみ抽出する。上りでも下りでもない場合とは、まれではあるが、エレベータがどの階からも呼び出されておらず、図１の運転盤２での操作もない場合かつ利用者がエレベータ内にいる場合を想定している。例えば、エレベータが緊急停止してしまった場合などに利用者に落ち着くように指示するメッセージを表示するなどが考えられる。
【００５０】
次に、制御装置２０３は、時刻認知手段２０７に問い合わせることにより、現在時刻を取得する。そして、上記のステップ６０４、６０５、６０６で抽出した表コンテンツ群に含まれる表示コンテンツのうち、現在時刻が「表示時間帯」３７の範囲以内の表示コンテンツ群（ステップ６０８）と「表示時間帯」３７の指定がない表示コンテンツ群（ステップ６０９）をさらに抽出する。なおステップ６０４、６０５、６０６または６０８、６０９にて行う抽出処理のいずれにおいても、図３の「表示期限」３４が切れている表示コンテンツは抽出しないようにする。
【００５１】
さらに、制御装置２０３は、抽出した表示コンテンツ群の中から、「優先度」３５を参照して、または「優先度」３５及び「表示回数」３８を参照して、表示すべき表示コンテンツの候補を絞り込む。図３で説明した通り、表示コンテンツの表示回数の差があまりも極端に偏らないように「表示回数」３８に基づいて所定の計算処理を行い、電子ディスプレイ２０８に表示する１つの表示コンテンツを確定する（ステップ６１０）。
【００５２】
制御装置２０３は、表示コンテンツを確定した後、電子ディスプレイ２０８に表示コンテンツを表示する（ステップ６１１）。続いて、表示された表示コンテンツについて、情報保存装置２０４に保存された保持データ中の「表示回数」３８を１回増加して更新し、配信情報送受信手段２０２から情報提供装置２０９に表示コンテンツの保持データをアップロードして同期する（ステップ６１２、６１３）。
【００５３】
図７は、情報提供システムの運営の一例を表したシーケンス図である。クライアント、表示コンテンツ管理者・情報提供装置、エレベータ搭載装置をアクタとして、本発明のシステム全体の処理の流れを示している。
【００５４】
まずクライアントは、表示コンテンツ管理者に、表示する静止画・動画等の映像データ及びどの階で表示させたいかなどの表示条件の要望をネットワークやCD-ROM等の記憶媒体にて渡す（１）。表示コンテンツ管理者は、クライアントから渡された映像データ及び表示条件等から表示コンテンツの保持データを図３の形式で作成する。クライアント要望や表示コンテンツ管理者の希望などを反映して「優先度」３５、「表示対象階」３６などの関連情報の編集を行い、情報提供装置２０９に登録する（２）。この際、配信情報記憶装置 ２１０には、配信情報送受信手段２１１を介してネットワークから登録するか、CD-ROMなどの記憶媒体から直接登録する。情報提供装置２０９は、配信情報送受信手段２１１によりエレベータ搭載装置２０１へネットワークを介して表示コンテンツの保持データを配信する（３）。この際、エレベータ搭載装置２０１では配信情報送受信手段２０２を介して制御装置２０３が情報保存装置２０４に表示コンテンツの保持データを保存する。
【００５５】
稼働中、エレベータに利用者が搭乗することで、保存した表示コンテンツが表示され（４）、「表示回数」３８が更新された表示コンテンツの保持データがエレベータ搭載装置２０１の配信情報送受信手段２０２から情報提供装置２０９へ送信される（５）。この際、情報提供装置２０９では、配信情報送受信手段２１１を介して配信情報記憶装置２１０の表示コンテンツの保持データが更新される。後日、表示コンテンツ管理者は表示コンテンツの「表示回数」３８を基に利用料金を請求する（６）。このとき、表示コンテンツの「表示期限」３４を設定していると表示期間中にどれだけ表示されたかが理解しやすくなり請求時に役立つと考えられる。
【符号の説明】
【００５６】
１：エレベータかご、２：運転盤、３：ドア、２０１：エレベータ搭載装置、４、２０８：電子ディスプレイ、２０２：配信情報送受信手段、２０３：制御装置、２０４：情報保存装置、２０５：利用客検知手段、２０６：運転状態検出手段、２０７：時刻認知手段、２０８：電子ディスプレイ、２０９：情報提供装置
【図１】
2013184788.tif 000003
【図２】
2013184788.tif 000004
【図３】
2013184788.tif 000005
【図４】
2013184788.tif 000006
【図５】
2013184788.tif 000007
【図６】
2013184788.tif 000008
【図７】
2013184788.tif 000009
【図８】
2013184788.tif 000010